(57)【特許請求の範囲】
【請求項１】
商品に対応する符号化された情報が含まれたバーコードをラベルに印字して発行するラベル発行装置において、
前記商品に対応するコードを登録するための入力手段と、
各商品ごとに前記商品に対応するコードを記憶する記憶部と、
商品に対応するコードが予め設定されたデフォルト値と一致するか否かを判別する判別手段と、
前記商品に対応するコードが予め設定されたデフォルト値と一致しないと判別された場合には前記バーコードの印字されたラベルを発行し、一方、前記デフォルト値と一致すると判別された場合には当該バーコードを印字する領域がありながら、当該領域にバーコードの印字されていないラベルを発行するラベル発行部とを有するラベル発行装置。
【請求項２】
請求項１において、
前記商品に対応するコードが前記デフォルト値と一致する場合には、エラーメッセージないしはアラームを出力するラベル発行装置。
【請求項３】
商品に対応する符号化された情報が含まれたバーコードをラベルに印字して発行するラベル発行装置において、
前記商品に対応するコードを登録するための入力手段と、
各商品ごとに前記商品に対応するコードを記憶する記憶部と、
商品に対応するコードが予め設定されたデフォルト値と一致するか否かを判別する判別手段と、
前記商品に対応するコードが予め設定されたデフォルト値と一致すると判断された場合にラベルの発行を行わないラベル発行禁止モードと、前記の場合に当該バーコードを印字する領域がありながら、当該領域に前記バーコードの印字されていないラベルを発行するバーコード無しラベル発行モードとを備え、これらのモードのうちの予め設定されたモードに従って、ラベルの発行をラベル発行部に行わせる制御手段とを有することを特徴とするラベル発行装置。
【請求項４】
商品に対応する符号化された情報が含まれたバーコードをラベルに印字して発行するラベル発行装置において、
前記商品に対応するコードを登録するための入力手段と、
各商品ごとに前記商品に対応するコードを記憶する記憶部と、
商品に対応するコードが予め設定されたデフォルト値と一致するか否かを判別する判別手段と、
前記商品に対応するコードが予め設定されたデフォルト値と一致すると判別された場合に前記バーコードの印字されていないラベルを発行するバーコード無しラベル発行モードと、前記の場合にもバーコードを印字したラベルを発行するバーコード付ラベル発行モードとを備え、これらのモードのうちの予め設定されたモードに従ってラベルの発行をラベル発行部に行わせる制御手段とを有することを特徴とするラベル発行装置。
【請求項５】
商品に対応する符号化された情報が含まれたバーコードをラベルに印字して発行するラベル発行装置において、
前記商品に対応するコードを登録するための入力手段と、
各商品ごとに前記商品に対応するコードを記憶する記憶部と、
商品に対応するコードが予め設定されたデフォルト値と一致するか否かを判別する判別手段と、
前記商品に対応するコードが予め設定されたデフォルト値と一致すると判別された場合にラベルの発行を行わないラベル発行禁止モードと、前記の場合にバーコードの印字されていないラベルを発行するバーコード無しラベル発行モードと、前記の場合にもバーコードを印字したラベルを発行するバーコード付ラベル発行モードとを備え、これらのモードのうちの予め設定されたモードに従ってラベルの発行をラベル発行部に行わせる制御手段とを有することを特徴とするラベル発行装置。
【請求項６】
請求項１ないし５のいずれか１項のラベル発行装置を備えた商品処理装置。
【発明の詳細な説明】
【０００１】
【発明の属する技術分野】
本発明はラベル発行装置に関するものである。
【０００２】
【従来の技術】
近年、スーパーなどのパック商品には、ラベルが貼付されており、こうした店舗では、ラベルのバーコードをレジスタのバーコードリーダで読み取って、買い上げの清算を行うと共に、売上げの管理（集計）などに役立てている。かかるシステムにおいては、バックヤード（スーパーの加工場）などに設けたラベル発行装置からラベルを発行している。この種のシステムの一例を図７に示す。
【０００３】
図７において、店舗の事務所には、ホストコンピュータ（パソコン）１が設置されており、該ホストコンピュータ１には、多数のラベル発行装置２が接続されている。各ラベル発行装置２は、精肉、鮮魚、野菜、惣菜などの各部門のバックヤードに設けられている。一方、前記ホストコンピュータ１には、買い上げの清算を行う多数のレジスタ３が接続されている。
【０００４】
図８（ａ）は該システムにおいて発行されて用いられるラベルＬの一例を示す。該ラベルＬは、前述のラベル発行装置２から発行されて商品に貼付され、レジスタ３のバーコードリーダによって、バーコードＢが読み取られる。該ラベルＬには、商品の部門コードＣ１、品名Ｎａ、バーコードＢ、商品呼出番号Ｃｎ、料金Ｐや消費期限などの日付Ｄが印字されている。また、バーコードＢの下にはバーコードＢに対応した文字コードＣが印字されている。該バーコードＢおよび文字コードＣにおける先頭の３桁目から７桁目までの５つのコードは商品コードまたは POSコード（以下これらを総称して「商品コード」という。）Ｃｍで、先頭の９桁目から１２桁目までの４つの数字は価格情報Ｃｐである。商品コードＣｍは、商品の品名の他、商品のサイズ、入り数、色など商品の属性に対応する符号化された情報で、商品の種類ごとに異なるコードが登録される。
【０００５】
通常のラベル発行時には、まず、ラベル発行装置２における図９の入力操作部２１から、商品呼出番号Ｃｎ（図８）を入力して、この図に示すように表示器２２に印字情報の一部を表示させる。この後、当日加工した商品の消費期限や価格を書き換え（更新させ）た後に、入力操作部２１のラベル発行キーを押下して（ラベルの発行操作を行って）、ラベルを発行させる。このラベル発行の操作時には、表示器２２に商品コードＣｍ（図８）を表示しても何らメリットはなく、一方、表示器２２に５桁の商品コードが表示されていると、この商品コードが視覚的にノイズとなるので、商品コードは表示されない。
【０００６】
つぎに、商品コードＣｍの登録方法について説明する。
商品コードＣｍは、一般に、システムが店舗に導入される前に、システムのメーカによって設定登録されるが、システムの稼動後（導入後）に新種の商品等を扱うことになった場合は、店舗のオペレータによって設定登録される。この設定登録時には、商品名等を入力した後、発行操作を行うのであるが、この際にも、表示器２２には商品コードが表示されていない。そのため、商品コードの入力を忘れる場合がある。この場合、当該商品の商品コードは、マイコンのＲＡＭにおけるイニシャル状態の値（デフォルト値）「00000 」が商品コード「00000 」として登録され、当該登録情報がホストコンピュータ１（図７）に登録されると共に、図８（ｂ）のように、商品コードＣｍが「00000 」のラベルＬが発行される。
【０００７】
一方、こうした商品コードＣｍの入力忘れが重なると次のような不都合が生じる。
たとえば、鮮魚部門の商品「さんま」について商品コードＣｍの入力忘れが生じた後に、精肉部門の商品「国産牛ローススライス」についても商品コードＣｍの入力忘れが発生したとすると、図８（ｂ），（ｃ）のように、商品コードＣｍが共に「00000 」のラベルＬが発行される。これらのラベルＬのバーコードＢをレジスタ３で読み取る場合、価格自体は正しいので、消費者には特段の不都合は生じない。
【０００８】
【発明が解決しようとする課題】
しかし、ホストコンピュータ１には、最も新しい登録情報が更新記憶されているので、商品コード「00000 」の商品は、「国産牛ローススライス」であると認識される。そのため、レジスタ３で図８（ｂ）の「さんま」のラベルＬのバーコードＢを読み取った場合、商品コードが「00000 」であるから、レジスタ３の表示および売上げ情報は「さんま」ではなく「国産牛ローススライス」となって計上される。
【０００９】
ここで、百貨店の地下売り場などでは、多数のテナントが入っており、該テナントごとに独立採算となっている一方で、合理化のために買い上げ清算を集中レジで行っているシステムがある。このようなシステムにおいて、前述のような商品コード「00000 」について重複登録が生じた場合、テナントの売上げに誤りが生じ大きな問題となる。
【００１０】
また、 POSシステムは、単品別に収集した商品の販売情報によって、商品の仕入れ、配送などを効率良く行うことを目的としているのに対し、前述のように、商品の売上げ情報に誤りが生じると、商品管理に混乱を招く。
【００１１】
本発明は前記従来の問題を解決するためになされたもので、商品コードや POSコードの入力忘れに伴う不都合を解消するラベル発行装置および該ラベル発行装置を備えた商品処理装置を提供することを目的とする。
【００１２】
【課題を解決するための手段】
前記目的を達成するために、本発明は、商品に対応する符号化された情報が含まれたバーコードをラベルに印字して発行するラベル発行装置において、入力手段から入力された前記商品に対応するコードが予め設定されたデフォルト値と一致しない場合には前記バーコードの印字されたラベルを発行し、一方、前記デフォルト値と一致する場合には当該バーコードを印字する領域がありながら、当該領域にバーコードの印字されていないラベルを発行することを特徴とする。
なお、本発明において、「商品に対応するコード」とは、一般に、「商品コード」または「 POSコード」であるが、商品の種類に対応する符号化された情報をいう。
【００１５】
本発明では、商品コードの入力を忘れて、デフォルト値で商品が登録されると、当該商品についてはバーコードの印字されていないラベルが発行される。そのため、当該ラベルをレジのバーコードリーダで読み取ることはできない。一方、ラベルの部門コードおよび価格をオペレータが入力することで、買い上げの清算を行うと共に、売上げ情報を把握することができる。
【００１６】
【発明の実施の形態】
以下、本発明の一実施形態を図面にしたがって説明する。
図１はラベル発行装置２を示しており、該ラベル発行装置２の構成機能は、従来のラベル発行装置２と基本的に同様であり、したがって、主に、従来と相違する部分について説明する。
図１において、ラベル発行装置２は、入力操作部（入力手段）２１、表示器２２およびラベル発行部２３が、図示しないインターフェイスを介して、マイコン２０に接続されている。図２のように、入力操作部２１は、テンキーの他、ラベルを発行させる「発行キー」や、商品コードを登録するための「設定キー」など種々のキーを備えている。表示器２２は、ラベル発行時などに商品の属性等を表示する他、たとえば「商品コードを入力してください」というようなエラーメッセージ２２ａを表示する。図１のラベル発行部２３は、マイコン２０のＣＰＵ２４からの命令に従って、所定の印字内容のラベルを印字して発行する。前記マイコン２０のメモリ２５（記憶部）は、ラベル発行などの種々のプログラムや、各商品ごとに品名や商品コードなどを記憶すると共に、後述するラベル発行のモードを記憶する。
【００１７】
前記ＣＰＵ２４は、ラベル発行装置２の出荷前に、ラベル発行禁止モードＭ１、バーコード無しラベル発行モードＭ２またはバーコード付ラベル発行モードＭ３のうちの１つのモードに予め選択的に設定（インストール）される。なお、ラベル発行装置２はホストコンピュータ１（図７）に接続するための通信用のコネクタを備えており、前記モード設定は、一般に、ラベル発行装置２に前記コネクタを介してパソコンを接続し、所定のインストールプログラムを用いて、前記パソコンから設定する。
【００１８】
つぎに、本ラベル発行装置２の機能を図２ないし図５のラベル発行のフローチャートを用いて説明する。
図３（ａ）のラベル発行禁止モードＭ１に設定されている場合は、キー処理ルーチンに入って何れのキーが押されたかをチェックし、ステップＳ２でラベル発行のキーが押されていると、ステップＳ３に進む。ステップＳ３では、商品コードが特定のコード、つまり、デフォルト値「00000 」であるか否かをＣＰＵ（判別手段）２４が判別する。商品の登録時にオペレータが商品コードの入力を忘れて、商品コードが「00000 」として登録されている場合には、ステップＳ４に進んで、ＣＰＵ２４が表示器２２にエラーメッセージ２２ａ（図２）を表示させると共に、電子音出力部（図示せず）から、音によるアラームを出力させて、オペレータに商品コードの登録を促す。一方、前記ステップＳ３において、「00000 」以外の商品コードが登録されている場合は、ステップＳ５に進んで、ＣＰＵ２４がラベル発行部２３に図３（ｂ）のようなバーコードＢおよび商品コードＣｍが印字されたラベルＬを発行させる。
【００１９】
このように、本ラベル発行禁止モードＭ１においては、商品コードが「00000 」の場合には、つまり、入力操作によって商品コードが入力されていない場合には、ラベルが発行されないので、商品コードの入力忘れに伴う不都合が生じない。しかも、当該場合には、エラーメッセージおよびアラームを出力するので、商品コードの入力忘れをオペレータに直ちに認知させることができるから、商品コードの入力忘れを確実に防止することができる。
【００２０】
ところで、スーパーのバックヤードなどは忙しい場合が多く、このような場合には、新しく設定する商品コードの番号を確認してラベルを発行する余裕がなく、そのため、従来は、意識的に、商品コードを取りあえず「00000 」に設定してラベルを発行することもあった。しかし、前述のラベル発行禁止モードＭ１では、こうした運用を採用している店舗等に対処できない。そこで、本ラベル発行装置２では、以下に説明するバーコード無しラベル発行モードＭ２を選択して予め設定（インストール）できるようにしている。
【００２１】
図４（ａ）はバーコード無しラベル発行モードＭ２に設定されている場合のフローを示す。
図４（ａ）のステップＳ１２〜Ｓ１５は、ラベル発行禁止モードＭ１のステップＳ２〜Ｓ５と同様である。今、商品コードが「00000 」であるために、ステップＳ１４においてエラーメッセージ等が出力されると、ステップＳ１６に進む。ステップＳ１６においては、ラベル発行モードＭ２に設定されているか否かをＣＰＵ（制御手段）２４が判別し、該判別の結果、設定されていない場合は、処理は終了し、設定されている場合は、ステップＳ１７に進む。ステップＳ１７では、図４（ｂ）のように、バーコードおよび当該バーコードに対応した文字コードが印字されていないラベルＬ１を発行する。ここで、「バーコードの印字されていないラベルＬ１」とは、図４（ｃ）のバーコードＢが印字される領域Ａがありながら、図４（ｂ）のように、当該領域ＡにバーコードＢが印字されていないラベルＬ１をいう。
【００２２】
このように、本バーコード無しラベル発行モードＭ２においては、商品コードの登録を忘れたり、あるいは、忙しいために商品コードを取りあえず「00000 」で登録した場合には、バーコード無しラベルＬ１を発行する。かかるラベルＬ１は、バーコードＢがないので、レジではオペレータが当該ラベルＬ１を見ながら部門コードＣ１および料金Ｐをキー操作によって入力して、買い上げの清算を行うと共に、売上げ（販売）の情報として役立てる。したがって、誤った商品コードの情報を含んだバーコードを読み取るという事態が生じないので、商品コードの入力忘れに伴う大きな不都合は生じない。その一方で、図４（ｃ）のバーコードＢおよび文字コードＣ以外の種々の情報を印字した図４（ｂ）のバーコード無しラベルＬ１を発行するので、レジではキー操作によって入力できるから、忙しい場合等にも対処し得るという利点がある。
【００２３】
ところで、前述のラベル発行禁止モードＭ１およびバーコード無しラベル発行モードＭ２では、新たな商品についてのラベル発行の操作が従来よりも煩雑になる。そのため、商品管理を電子化していないような小店舗では、前記ラベル発行禁止モードＭ１やバーコード無しラベル発行モードＭ２よりも従来どおりの仕様が望ましい。そこで、本ラベル発行装置２では、以下に説明するバーコード付ラベル発行モードＭ３を選択して予め設定（インストール）できるようにしている。
【００２４】
図５（ａ）はバーコード付ラベル発行モードＭ３に設定されている場合のフローを示す。図５（ａ）のキー処理ルーチンにおいてステップＳ２２で発行操作が行われると、次のステップＳ２３でラベルＬが発行される。すなわち、商品コードが「00000 」でない図５（ｂ）の場合の他に、商品コードが「00000 」の図５（ｃ）の場合も、バーコードＢを印字したラベルＬを発行する。
【００２５】
なお、以上の説明では、デフォルト値として商品コードが「00000 」である場合について説明したが、前記デフォルト値は「11111 」やその他の文字列であってもよい。
【００２６】
また、前記実施形態では、３つのモードＭ１〜Ｍ３のうちの１つを選択できるようにしたが、本発明では、前記３つのモードＭ１〜Ｍ３のうちの２つのモードから１つを選択できるようにしてもよい。また、モード選択はできず、バーコード無しラベル発行モードＭ２と同じ動作でのみ動作するものも本発明に含まれる。
【００２７】
さらに、前記実施形態では、モードＭ１〜Ｍ３を予め選択的に設定する際に、ラベル発行装置２をパソコンに接続して設定することとしたが、ラベル発行装置２自体でモード設定ができるようにしてもよい。
【００２８】
また、ラベル発行装置２に計量装置、包装機やレジスタが一体となった商品処理装置についても本発明に含まれることはいうまでもない。また、本発明は発行されるラベルの種類を限定するものではなく、図６（ａ），（ｂ）のように、少なくともバーコードＢおよびバーコードＢ以外の他の情報を印字したラベルを発行するラベル発行装置に適用される。
【００３０】
【発明の効果】
本発明によれば、 POSコードや商品コードの入力を忘れて、デフォルト値で商品が登録されると、当該商品についてはバーコードの印字されていないラベルが発行されるから、当該ラベルはレジのバーコードリーダで読み取ることができない。そのため、レジではオペレータが当該ラベルの表示を見ながら、部門コードおよび価格などを入力することで、買い上げの清算や、売上げ情報を把握することができる。したがって、誤った商品コード等の情報を含んだバーコードを読み取るという事態が発生しないから、商品コードの入力忘れに伴う大きな不都合が生じない。
【００３１】
また、商品コード等がデフォルト値と一致する場合には、エラーメッセージないしアラームを出力するようにすれば、商品コード等の入力忘れをオペレータに直ちに認知させることができるので、商品コードの入力忘れを防止し得る確実性が高い。
【００３２】
また、前記ラベルを発行しないモード、バーコードの印字されていないラベルを発行するモードまたは従来どおりラベルを発行するモードのうちの２以上のモードから１つを選択して設定できるようにしておけば、種々のタイプの店舗やシステムに容易に対応し得る。
【図面の簡単な説明】
【図１】  本発明の一実施形態にかかるラベル発行装置の概略構成図である。
【図２】  同装置の表示器および入力操作部の一例を示す概略平面図である。
【図３】  本発明の理解に役立つ参考例に関わり、（ａ）はラベル発行禁止モードに設定された場合のフローを示すフローチャート、（ｂ）は発行されるラベルの一例を示す平面図である。
【図４】  本発明の実施形態に関わり、（ａ）はバーコード無しラベル発行モードに設定された場合のフローを示すフローチャート、（ｂ），（ｃ）は発行されるバーコード無しラベルおよびバーコード付ラベルの一例を示す平面図である。
【図５】  （ａ）はバーコード付ラベル発行モードに設定された場合のフローを示すフローチャート、（ｂ），（ｃ）は発行されるバーコード付ラベルの一例を示す平面図である。
【図６】  他のラベルの例を示す平面図である。
【図７】  商品情報処理システムの一例を示す概略構成図である。
【図８】  従来のシステムにおいて発行されるラベルを示す平面図である。
【図９】  従来のラベル発行装置の表示器および入力操作部の一例を示す概略平面図である。
【図１】
0003980129.tif 000002
【図２】
0003980129.tif 000003
【図３】
0003980129.tif 000004
【図４】
0003980129.tif 000005
【図５】
0003980129.tif 000006
【図６】
0003980129.tif 000007
【図７】
0003980129.tif 000008
【図８】
0003980129.tif 000009
【図９】
0003980129.tif 000010